【事件の表示】
　特願２００２−８８３７「カメラ」拒絶査定不服審判事件〔平成１５年７月２５日出願公開、特開２００３−２０７８３１〕について、次のとおり審決する。
【結　論】
　本件審判の請求は、成り立たない。
【理　由】
第１　手続の経緯
　本願は、平成１４年（２００２年）１月１７日に出願された特願２００２−８８３７号の特許出願であって、原審において平成１６年４月７日付の拒絶理由を通知したところ、平成１６年６月１４日付の意見書とともに明細書を補正する同日付の手続補正書が提出され、前記拒絶理由により平成１６年１１月８日付で拒絶査定がなされ、前記拒絶査定を不服として平成１６年１２月１６日に拒絶査定不服審判が請求されるとともに、平成１７年１月１４日付で明細書を補正する手続補正書が提出されたものである。
　
第２　平成１７年１月１４日付の手続補正についての補正の却下の決定
　
［補正の却下の決定の結論］
　平成１７年１月１４日付の手続補正を却下する。
　
［理由］
１．補正の内容
　平成１７年１月１４日付の手続補正（以下、この補正を「
本件補正
「【請求項１】本体を覆う箱状の外装カバー内に少なくとも１つの機能ユニットが収納されて構成されるカメラにおいて、
　前記外装カバーは、前記機能ユニットを固定する固定部と、前記機能ユニットの前記外装カバー内での位置を決定する位置決め部とをその内面に備え、前記機能ユニットは、前記位置決め部によって位置が決定された状態において前記固定部に固定されることにより前記外装カバー内に固定されることを特徴とするカメラ。
　【請求項２】前記機能ユニットは複数あり、前記位置決め部と前記固定部とがそれぞれの機能ユニットごとに備えられていることを特徴とする、請求項１に記載のカメラ
　【請求項３】本体を覆う箱状の外装カバー内に複数の機能ユニットが収納されて構成されるカメラにおいて、
　前記外装カバーは、前記各機能ユニットの前記外装カバー内での位置をそれぞれ決定するそれぞれの位置決め部をその内面に備え、前記各機能ユニットは、前記各位置決め部によって決定された状態においてそれぞれ前記外装カバー内に固定されることを特徴とするカメラ。
　【請求項４】前記外装カバーは少なくとも２つの部材から構成されており、前記機能ユニットは、前記位置決め部によってどちらか一方の外装カバーに独立して取付固定されることを特徴とする請求項１から３のいずれか１つに記載のカメラ。
　【請求項５】前記外装カバーは少なくとも２つの部材から構成されており、前記一方の外装カバーは前記位置決め部を有しており、
　前記他方の外装カバーが前記一方の外装カバーと結合するときに、前記位置決め部に保持された前記機能ユニットが、前記他方の外装カバーに押圧されて固定されることを特徴とする請求項１から３のいずれか１つに記載のカメラ。
　【請求項６】前記位置決め部は、前記外装カバーと導通する電気導通部を有し、前記機能ユニットは、前記機能ユニットに設けたグランドと前記電気導通部が導通するように固定されることを特徴とする請求項１から５のいずれか１つに記載のカメラ。」
の記載を、
「【請求項１】本体を覆う箱状の外装カバー内に
、その一部が前記外装カバーを介して外部に露出する
　前記外装カバーは、前記機能ユニットを固定する固定部と、前記機能ユニットの前記外装カバー内での位置を決定する位置決め部とをその内面に備え、前記機能ユニットは、前記位置決め部によって位置が決定された状態において前記固定部に固定されることにより前記外装カバー内に固定されることを特徴とするカメラ。
　【請求項２】前記機能ユニットは複数あり、前記位置決め部と前記固定部とがそれぞれの機能ユニットごとに備えられていることを特徴とする、請求項１に記載のカメラ。
　【請求項３】本体を覆う箱状の外装カバー内に
、その一部が前記外装カバーを介して外部に露出する機能ユニットを含む
　前記外装カバーは、前記各機能ユニットの前記外装カバー内での位置をそれぞれ決定するそれぞれの位置決め部をその内面に備え、前記各機能ユニットは、前記各位置決め部によって決定された状態においてそれぞれ前記外装カバー内に固定されることを特徴とするカメラ。
　【請求項４】前記外装カバーは少なくとも２つの部材から構成されており、前記機能ユニットは、前記位置決め部によってどちらか一方の外装カバーに独立して取付固定されることを特徴とする請求項１から３のいずれか１つに記載のカメラ。
　【請求項５】前記外装カバーは少なくとも２つの部材から構成されており、前記一方の外装カバーは前記位置決め部を有しており、
　前記他方の外装カバーが前記一方の外装カバーと結合するときに、前記位置決め部に保持された前記機能ユニットが、前記他方の外装カバーに押圧されて固定されることを特徴とする請求項１から３のいずれか１つに記載のカメラ。
　【請求項６】前記位置決め部は、前記外装カバーと導通する電気導通部を有し、前記機能ユニットは、前記機能ユニットに設けたグランドと前記電気導通部が導通するように固定されることを特徴とする請求項
３
と補正することを含むものである。
　
２．補正の適否の検討
　本件補正の請求項１についての補正は、補正前の請求項１に記載されていた「少なくとも１つの機能ユニット」に「その一部が前記外装カバーを介して外部に露出する」の発明特定事項を付加することにより限定する補正であり、また、請求項３についての補正は、補正前の請求項３に記載されていた「複数の機能ユニット」に「その一部が前記外装カバーを介して外部に露出する機能ユニットを含む」の発明特定事項を付加することにより限定する補正であるから、同法第１７条の２第４項第２号の「特許請求の範囲の減縮」を目的とするものに該当する。
　そして、請求項６についての補正は、引用する請求項を「請求項１から５のいずれか１つ」から「請求項３から５のいずれか１つ」に変更することによりその引用請求項の範囲を限定する補正であるから、同法第１７条の２第４項第２号の「特許請求の範囲の減縮」を目的とするものに該当する。
　上記のとおり、本件補正が、特許法第１７条の２第４項第２号の「特許請求の範囲の減縮」を目的とする補正であるので、本件補正後の各請求項に記載された発明が特許出願の際独立して特許を受けることができるものであるか否か、すなわち、特許法第１７条の２第５項において準用する同法第１２６条第５項の規定に適合するか否かについて、以下に検討する。
　
３．独立特許要件の有無
（１）本願の本件補正後の発明
　本件補正後の請求項１に記載された発明（以下、これを「
本願補正発明１
　「【請求項１】本体を覆う箱状の外装カバー内に、その一部が前記外装カバーを介して外部に露出する少なくとも１つの機能ユニットが収納されて構成されるカメラにおいて、前記外装カバーは、前記機能ユニットを固定する固定部と、前記機能ユニットの前記外装カバー内での位置を決定する位置決め部とをその内面に備え、前記機能ユニットは、前記位置決め部によって位置が決定された状態において前記固定部に固定されることにより前記外装カバー内に固定されることを特徴とするカメラ。」
　
（２）引用刊行物及び周知技術文献
ア．原審における拒絶査定の理由に引用された刊行物であって本願特許出願前に頒布された特開平１１−３８４８９号公報（以下、「
引用刊行物１
「【００１１】これらの図面に示すように、このカメラは、主として外装体（フロントキャビ１０、リアキャビ２０）と、レンズ／ファインダユニット３０と、遮光カバー４０と、ストロボユニット５０と、記録メディア基板６０と、メイン基板６２と、液晶ユニット７０とから構成されている。
　フロントキャビ１０及びリアキャビ２０は、それぞれ光透過性樹脂によって透過性をもって形成されている。尚、光透過性樹脂は、無色透明に限らず、半透明あるいは薄く着色されていてもよく、要はカメラ内部が透視できるものであれば、如何なるものでもよい。」
「【００１４】・・・。この電池のハウジングを構成するフロントキャビ１０の一部は、図８に示すように電池をガイドするとともに、ハウジングを強化するためにリブ１０Ａが形成されているが、このリブ１０Ａ又はフロントキャビ１０に形成されているその他のリブやボス等は、フロントキャビ１０を通して見ることができ、カメラの内部デザインとしても機能する。・・・。」
「【００１６】尚、２５は液晶ユニット７０（図３）のバックライト付き液晶表示器（ＬＣＤ）７１の表示部に対向する表示窓であり、・・・。」
「【００１７】ストロボユニット５０は、図２に示すようにストロボ基板５２と、放電管を備えたストロボ本体５４と、ストロボ本体５４をリトラクタブルに保持する保持部５６等から構成されている。尚、ストロボ本体５４の上面（収納時にフロントキャビ１０の上面と面一となる面）は、フロントキャビ１０と同一の光透過性樹脂で形成されている。」
「【００１８】さて、フロントキャビ１０には、図２に示すように遮光カバー４０によって前面が覆われたレンズ／ファインダユニット３０、ストロボユニット５０、記録メディア基板６０、メイン基板６２等が固定される。・・・。」
「【００１９】一方、リアキャビ２０には、図３に示すように液晶ユニット７０等が固定される。この液晶ユニット７０の基板上には、前述したようにバックライト付きＬＣＤ７１が設けられるとともに、パワースイッチのツマミ２３のスライド動作に基づいてＯＮ／ＯＦＦされるパワースイッチや、消去ボタン、モードボタン、ストロボボタン、実行ボタンが設けられている。」
「【００２０】そして、上記フロントキャビ１０とリアキャビ２０とを組み付けて固定することによりカメラの組み立てが完了する。・・・。」
　
　そうすると、上記引用刊行物１における前記摘記事項及び添付図面における記載からみて、引用刊行物１には、次の発明（以下、これを「
引用発明
「フロントキャビ１０とリアキャビ２０とを組み付けて固定することにより組み立てられる外装体と、レンズ／ファインダユニット３０と、遮光カバー４０と、ストロボユニット５０と、記録メディア基板６０と、メイン基板６２と、液晶ユニット７０とから構成されるカメラにおいて、
　フロントキャビ１０に遮光カバー４０によって前面が覆われたレンズ／ファインダユニット３０、ストロボユニット５０、記録メディア基板６０及びメイン基板６２が固定されるとともに、リアキャビ２０に液晶ユニット７０が固定されており、
　リアキャビ２０に固定された前記液晶ユニット７０のバックライト付き液晶表示器（ＬＣＤ）７１の表示部が、前記リアキャビ２０に形成された表示窓２５に対向するようにされるとともに、フロントキャビ１０に固定されるストロボユニット５０のストロボ本体５４の上面が、収納時にフロントキャビ１０の上面と面一となるようにされているカメラ」
　
イ．原審における拒絶査定の理由に引用された刊行物であって本願特許出願前に頒布された特開平９−２８１５３９号公報（以下、「
周知技術文献１
「【００３６】上述したように、上記ボディプレート４１には、上記ミラーボックス４３が直接固定されるようになっているが、この場合において、上記ミラーボックス４３の前面側に設けられた位置決めボス４３ｉ，４３ｊが、上記ボディプレート４１に設けられた嵌合孔４１ｃ，４１ｄに嵌合されることで上記ミラーボックス４３の上記ボディプレート４１に対する位置決めがなされるようになっている。そして、上記ボディプレート４１と上記ミラーボックス４３とは、セルフタップビス４３ａ，４３ｂ，４３ｃ，４３ｄにより、この４ヶ所において強固に直接固定されている。・・・。」
「【００３９】上記ミラーボックス４３と上記本体ユニット４４との間においては、上述のミラーボックス４３とボディプレート４１との間の取付固定と同様に、上記ミラーボックス４３に、その後部側に向けて設けられた２つの位置決めボス（図示せず）が、上記本体ユニット４４側に設けられた２つの嵌合孔（図３においては符合４４ｈで示す１ヶ所のみ図示している）に嵌合されることで、上記本体ユニット４４の上記ボディプレート４１に対する位置決めがなされるようになっており、この本体ユニット４４と上記ミラーボックス４３とは、セルフタップビス４３ｅ，４３ｆ，４３ｇ，４３ｈにより、この４ヶ所において強固に直接固定されている。」
「【００４４】一方、上記レンズユニット４２は、上記ボディプレート４１の前面側より取り付け固定されるようになっている。すなわち、上記ボディプレート４１には、上記レンズユニット４２の２つの位置決め用嵌合孔４１ｅ，４１ｍが設けられており、この位置決め用嵌合孔４１ｅ，４１ｍが、上記レンズユニット４２の後部側に設けられている位置決め用ボス（図示せず）と嵌合し、上記ボディプレート４１に対して上記レンズユニット４２の位置決めがなされるようになっている。
　【００４５】そして、上記レンズユニット４２の後端部側には、３ヶ所のフランジ部（図３においては、符合４２ａ，４２ｂの２ヶ所のみ図示する）が形成されており、この各フランジ部には貫通孔が設けられている。そして、この貫通孔と対向する上記ボディプレート４１側の位置にはビス締め部４１ｈ，４１ｉ，４１ｊが設けられている。このビス締め部４１ｈ，４１ｉ，４１ｊにはタップ加工が施されており、３本のビス２ｃ，２ｄ，２ｅにより、上記レンズユニット４２は、上記ボディプレート４１の前面側において強固に固定されるようになっている。」
　
（３）対比及び一致点・相違点
　本願補正発明１と前記引用発明とを対比すると、引用発明における「フロントキャビ１０とリアキャビ２０とを組み付けて固定することにより組み立てられる外装体」、「レンズ／ファインダユニット３０と、遮光カバー４０と、ストロボユニット５０と、記録メディア基板６０と、メイン基板６２と、液晶ユニット７０」及び「カメラ」のそれぞれが、本願補正発明１の「本体を覆う箱状の外装カバー」、「少なくとも１つの機能ユニット」及び「カメラ」のそれぞれに相当する。
　そして、引用発明では、フロントキャビ１０に遮光カバー４０によって前面が覆われたレンズ／ファインダユニット３０、ストロボユニット５０、記録メディア基板６０、メイン基板６２が固定され、リアキャビ２０に液晶ユニット７０が固定されるのであり、しかも、引用刊行物１の段落【００１４】に、「フロントキャビ１０に形成されているその他のリブやボス等は、フロントキャビ１０を通して見ることができ」と記載されていることを参酌すると、引用発明の外装体の内面に、遮光カバー４０によって前面が覆われたレンズ／ファインダユニット３０、ストロボユニット５０、記録メディア基板６０、メイン基板６２、或いは、液晶ユニット７０を固定する際には、前記機能ユニットは、外装体の内面に形成されているリブやボス等を利用して固定されていると考えることは、きわめて自然なことであるから、引用発明の外装体が、本願補正発明１の「前記外装カバーは、前記機能ユニットを固定する固定部をその内面に備え」の構成に対応する、機能ユニットを固定する固定部を外装体の内面に備えていることは明らかである。
　また、引用発明における「リアキャビ２０には液晶ユニット７０が固定されるとともに、リアキャビ２０に固定された液晶ユニット７０のバックライト付き液晶表示器（ＬＣＤ）７１の表示部が前記リアキャビ２０に形成された表示窓２５に対向する」の技術事項は、引用発明の機能ユニットの一つの液晶ユニット７０のバックライト付き液晶表示器（ＬＣＤ）７１の一部である表示部が、リアキャビ２０に形成された表示窓２５に対向して臨むことにより、液晶ユニット７０の一部がリアキャビ２０の外部に露出していることを意味するものであり、また、引用発明における「フロントキャビ１０に固定されるストロボユニット５０のストロボ本体５４の上面は、収納時にフロントキャビ１０の上面と面一となる」の技術事項は、引用発明の機能ユニットの一つのストロボユニット５０のストロボ本体５４の一部である上面が、フロントキャビ１０の上面と面一となることにより、ストロボ本体５４の一部がフロントキャビ１０の外部に露出していることを意味するものであるから、引用発明の前記の技術事項は、本願補正発明１の「機能ユニットの一部が外装カバーを介して外部に露出する」の技術事項に対応する技術事項であるといえる。
　そうすると、本願補正発明１と引用発明とは、「本体を覆う箱状の外装カバー内に、その一部が前記外装カバーを介して外部に露出する少なくとも１つの機能ユニットが収納されて構成されるカメラにおいて、前記外装カバーは、前記機能ユニットを固定する固定部をその内面に備え、前記機能ユニットは、前記固定部に固定されることにより前記外装カバー内に固定されるカメラ」である点で、両者の構成が一致し、次の点で構成が相違する。
　
相違点１
　
相違点２
　
（４）相違点についての判断
ア．相違点１について
　機能部品を取付部材に固定するに際して、機能部品を固定するための固定部を取付部材に設けるとともに、前記機能部品の位置を決定する位置決め部をも取付部材に備えるようにすることは、本件特許出願時の周知技術（その一例として、上記
周知技術文献１
　そうしてみると、引用発明に前記周知技術を適用して、引用発明のフロントキャビ１０やリアキャビ２０の外装体の内面に、レンズ／ファインダユニット３０、遮光カバー４０、ストロボユニット５０、記録メディア基板６０、メイン基板６２及び液晶ユニット７０の機能ユニットを固定するに際して、前記機能ユニットの固定部が備えられる外装体の内面に、周知技術である「嵌合孔と前記嵌合孔に嵌合する位置決めボスからなる位置決め手段」をも備えるようにすることにより、本願補正発明１の上記相違点１に係る「前記機能ユニットの前記外装カバー内での位置を決定する位置決め部をその内面に備える」構成とすることは、当業者が困難を伴うことなく容易になし得ることである。
　
イ．相違点２について
　上記
周知技術文献１
　このように、まず、位置決め用嵌合孔に位置決めボスを嵌合することにより位置決めをした状態で、次に、貫通孔と前記貫通孔に対向するタップ加工が施されたビス締め部とビスからなる固定手段により強固に固定することにより、機能ユニットが位置決め部によって位置が決定された状態において固定部に固定されるようにすることは、本件特許出願時の周知技術であるといえる。
　そうしてみると、引用発明に前記周知技術を適用することにより、本願補正発明１の上記相違点２に係る構成を得ることは、当業者が困難を伴うことなく容易になし得ることである。
　
　そして、本願補正発明１の奏する作用・効果は、上記引用発明及び周知技術から予測できる範囲内のものであって、格別顕著のものということができない。
　
ウ．まとめ
　したがって、本願補正発明１は、上記引用発明及び周知技術に基いて当業者が容易に発明をすることができたものであるから、本願補正発明１は特許法第２９条第２項の規定により、特許を受けることができない。
　
（５）むすび
　以上のとおりであり、本件補正後の特許請求の範囲に記載された請求項１に係る発明が、特許法第１７条の２第５項において準用する同法第１２６条第５項に規定するところの「特許出願の際独立して特許を受けることができるもの」に適合していないから、本件補正は、同法第１５９条第１項において読み替えて準用する同法第５３条第１項の規定により却下すべきものである。
　
第３　本願発明について
１．本願発明
　上記「第２」欄に前述した理由により、平成１７年１月１４日付の手続補正が却下されたことにより、当審が審理すべき本願発明は、平成１６年６月１４日付の手続補正により補正された明細書の特許請求の範囲の請求項１ないし請求項６に記載された事項により特定されるとおりのものであるところ、特にその請求項１に係る発明は、次のとおりのものである（上記「第２」の「１．補正の内容」欄を参照）。
「【請求項１】本体を覆う箱状の外装カバー内に少なくとも１つの機能ユニットが収納されて構成されるカメラにおいて、
　前記外装カバーは、前記機能ユニットを固定する固定部と、前記機能ユニットの前記外装カバー内での位置を決定する位置決め部とをその内面に備え、前記機能ユニットは、前記位置決め部によって位置が決定された状態において前記固定部に固定されることにより前記外装カバー内に固定されることを特徴とするカメラ。」（以下、これを「
本願発明１
　
２．引用刊行物及び該引用刊行物の記載事項
　原審における拒絶査定の理由に引用された刊行物であって本願特許出願前に頒布された引用刊行物１及び本願特許出願前に頒布された周知技術文献１には、上記「第２」の「３．独立特許要件の有無」の「（２）引用刊行物及び周知技術文献」のア．及びイ．欄に摘記したとおりの技術事項が記載されており、そして、前記引用刊行物１に記載されている発明（引用発明）は、前記「ア．」欄に前示のとおりである。
　
３．対比・判断
　本願発明１は、本願補正発明１から、上記「第２」の「２．補正の適否の検討」欄で述べた「その一部が前記外装カバーを介して外部に露出する」の限定を省いたものである。
　そうすると、本願発明１の構成要件をすべて含み、さらに他の構成要件を付加したものに相当する本願補正発明１が、前記「第２」の「３．独立特許要件の有無」の「（４）相違点についての判断」欄及び「（５）むすび」欄に記載したとおり、引用刊行物１に記載された引用発明及び周知技術文献１に記載された周知技術に基いて、当業者が容易に発明をすることができたものであるから、本願発明１も、本願補正発明１と同様の理由により、引用刊行物１に記載された引用発明及び周知技術文献に記載された周知技術に基いて、当業者が容易に発明をすることができたものである。
　
４．むすび
　以上のとおり、本願発明１は、引用発明及び周知技術に基いて当業者が容易に発明をすることができたものであり、本願発明１が特許法第２９条第２項の規定により特許を受けることができないから、他の請求項に係る発明についての検討をするまでもなく、本願は拒絶すべきものである。
　よって、結論のとおり審決する。